(57)【要約】【課題】Ｓ４-ＳＧＳＮを新規に導入する際のコストを低減する。【解決手段】本発明に係る移動通信方法は、ＧＴＰｖ２機能ブロック４０によって送信された転送要求が、ＧＴＰｖ１で規定されておりＧＴＰｖ２で規定されていないＰＥデータ要素＃１の転送を要求している場合、ＧＴＰｖ２機能ブロック１０が、ＧＴＰｖ１機能ブロック２０からＰＥデータ要素＃１を含むＧＴＰｖ１-ＰＥを取得し、ＧＴＰｖ１-ＰＥをＰＥデータ要素として含むＧＴＰｖ２-ＰＥをＧＴＰｖ２機能ブロック４０に転送する工程と、ＧＴＰｖ２機能ブロック４０が、当該ＧＴＰｖ２-ＰＥに含まれるＧＴＰｖ１-ＰＥをＧＴＰｖ１機能ブロック５０に転送する工程と、ＧＴＰｖ１機能ブロック５０が、当該ＧＴＰｖ１-ＰＥからＰＥデータ要素＃１を取得する工程とを有する。【選択図】図１０
2011029901.tif 000002
【特許請求の範囲】
【請求項１】
第２交換局の第２プロトコル機能によって送信された転送要求が、第１プロトコルで規定されており第２プロトコルで規定されていない第１データ要素の転送を要求している場合、第１交換局の第２プロトコル機能が、第１交換局の第１プロトコル機能から、該第１データ要素を含む第１プロトコル用データを取得する工程Ａと、
前記第１交換局の第２プロトコル機能が、前記第１交換局の第１プロトコル機能から取得した前記第１プロトコル用データを、前記第２プロトコルで規定されている第２データ要素として含む第２プロトコル用データを、前記第２交換局の第２プロトコル機能に転送する工程Ｂと、
前記第２交換局の第２プロトコル機能が、前記第１交換局の第２プロトコル機能から転送された前記第２プロトコル用データに含まれる前記第１プロトコル用データを、第２交換局の第１プロトコル機能に転送する工程Ｃと、
前記第２交換局の第１プロトコル機能が、前記第２交換局の第２プロトコル機能から転送された前記第１プロトコル用データから、前記第１データ要素を取得する工程Ｄとを有することを特徴とする移動通信方法。
【請求項２】
前記第２交換局の第１プロトコル機能が、取得した前記第１データ要素を、前記第２交換局の第２プロトコル機能に転送する工程Ｅと、
前記第２交換局の第２プロトコル機能が、転送された前記第１データ要素を、前記第２交換局の記憶部に記憶する工程Ｆとを有することを特徴とする請求項１に記載の移動通信方法。
【請求項３】
前記転送要求が、前記第２データ要素の転送を要求している場合、前記第１交換局の第２プロトコル機能は、前記第１交換局の記憶部から取得した該第２データ要素を含む前記第２プロトコル用データを、前記第２交換局の第２プロトコル機能に転送することを特徴とする請求項１又は２に記載の移動通信方法。
【請求項４】
前記工程Ｂにおいて、前記第１交換局の第２プロトコル機能は、前記第１交換局の第１プロトコル機能から取得した複数の前記第１プロトコル用データを、１つの前記第２データ要素として含む前記第２プロトコル用データを、前記第２交換局の第２プロトコル機能に転送することを特徴とする請求項１乃至３のいずれか一項に記載の移動通信方法。
【請求項５】
第２交換局が、第１交換局から、第１プロトコルで規定されており第２プロトコルで規定されていない第１データ要素或いは該第２プロトコルで規定されている第２データ要素を取得するように構成されている移動通信システムにおいて該第１交換局として機能する交換局であって、
第１交換局の第１プロトコル機能と、第１交換局の第２プロトコル機能とを具備しており、
前記第２交換局の第２プロトコル機能から受信した転送要求が、前記第１データ要素の転送を要求している場合、前記第１交換局の第２プロトコル機能は、前記第１交換局の第１プロトコル機能から、該第１データ要素を含む第１プロトコル用データを取得するように構成されており、
前記第１交換局の第２プロトコル機能は、前記第１交換局の第１プロトコル機能から取得した前記第１プロトコル用データを前記第２データ要素として含む第２プロトコル用データを、前記第２交換局の第２プロトコル機能に転送するように構成されていることを特徴とする交換局。
【請求項６】
第１交換局の記憶部を更に具備しており、
前記転送要求が、前記第２データ要素の転送を要求している場合、前記第１交換局の第２プロトコル機能は、前記第１交換局の記憶部から取得した該第２データ要素を含む第２プロトコル用データを、前記第２交換局の第２プロトコル機能に転送するように構成されていることを特徴とする請求項５に記載の交換局。
【請求項７】
前記第１交換局の第２プロトコル機能は、前記第１交換局の第１プロトコル機能から取得した複数の前記第１プロトコルデータを１つの前記第２データ要素として含む前記第２プロトコルデータを、前記第２交換局の第２プロトコル機能に転送するように構成されていることを特徴とする請求項５又は６に記載の交換局。
【請求項８】
第２交換局が、第１交換局から、第１プロトコルで規定されており第２プロトコルで規定されていない第１データ要素或いは該第２プロトコルで規定されている第２データ要素を取得するように構成されている移動通信システムにおいて該第２交換局として機能する交換局であって、
第２交換局の第１プロトコル機能と、第２交換局の第２プロトコル機能とを具備しており、
前記第２交換局の第２プロトコル機能は、第１交換局の第２プロトコル機能から、第１プロトコル用データを前記第２データ要素として含む第２プロトコル用データを受信した場合に、該第１プロトコル用データを、前記第２交換局の第１プロトコル機能に転送するように構成されており、
前記第２交換局の第１プロトコル機能は、前記第２交換局の第２プロトコル機能から転送された前記第１プロトコル用データから、前記第１データ要素を抽出するように構成されていることを特徴とする交換局。
【請求項９】
前記第２交換局の記憶部を更に具備し、
前記第２交換局の第１プロトコル機能は、取得した前記第１データ要素を、前記第２交換局の第２プロトコル機能に転送するように構成されており、
前記第２交換局の第２プロトコル機能は、転送された前記第１データ要素を、前記第２交換局の記憶部に記憶するように構成されていることを特徴とする請求項８に記載の交換局。
【発明の詳細な説明】
【技術分野】
【０００１】
本発明は、移動通信方法及び交換局に関する。
【背景技術】
【０００２】
非特許文献１に規定されているＧＰＲＳ（Ｇｅｎｅｒａｌ  Ｐａｃｋｅｔ  Ｒａｄｉｏ  Ｓｅｒｖｉｃｅｓ）方式の移動通信システムでは、交換局ＳＧＳＮが、非特許文献２に規定されているＥＰＣ（Ｅｖｏｌｖｅｄ  Ｐａｃｋｅｔ  Ｃｏｒｅ）ネットワークに接続する場合、Ｓ４インターフェイスを具備している必要がある。
【０００３】
ここで、Ｓ４インターフェイスを具備する交換局ＳＧＳＮ（以下、Ｓ４-ＳＧＳＮ）は、別のＳ４-ＳＧＳＮとの間で、ＧＴＰｖ２（ＧＰＲＳ  Ｔｕｎｎｅｌｉｎｇ  Ｐｒｏｔｏｃｏｌ  Ｖｅｒｓｉｏｎ  ２）を用いて、制御信号の送受信を行うように構成されている。
【０００４】
例えば、図１１に示すように、移動局ＭＳが、Ｓ４-ＳＧＳＮ＃２にアタッチする場合、ＧＴＰｖ２で規定されている「Ｉｄｅｎｔｉｆｉｃａｔｉｏｎ  Ｒｅｑｕｅｓｔ」及び「Ｉｄｅｎｔｉｆｉｃａｔｉｏｎ  Ｒｅｓｐｏｎｓｅ」を利用して、セキュリティパラメータが、Ｓ４-ＳＧＳＮ＃１からＳ４-ＳＧＳＮ＃２に引き継がれるように構成されている（図１１の（Ａ）参照）。
【０００５】
一方、Ｓ４インターフェイスを具備していない交換局ＳＧＳＮ（以下、既存ＳＧＳＮ）は、ＧＴＰｖ１（ＧＰＲＳ  Ｔｕｎｎｅｌｉｎｇ  Ｐｒｏｔｏｃｏｌ  Ｖｅｒｓｉｏｎ  １）を用いて、別の既存ＳＧＳＮから、各種パラメータを引き継ぐように構成されている。
【０００６】
ここで、ＧＴＰｖ１及びＧＴＰｖ２では、オペレータが自由に規定可能なデータ要素（以下、ＰＥ（Ｐｒｉｖａｔｅ  Ｅｘｔｅｎｓｉｏｎ）データ要素）として、オペレータごとのサービスに必要なＰＥデータ要素を規定し、ＳＧＳＮ間で、かかるＰＥデータ要素を引き継ぐことができる。
【０００７】
例えば、上述の「Ｉｄｅｎｔｉｆｉｃａｔｉｏｎ  Ｒｅｑｕｅｓｔ」及び「Ｉｄｅｎｔｉｆｉｃａｔｉｏｎ  Ｒｅｓｐｏｎｓｅ」において、オペレータが規定したＰＥデータ要素＃１を、Ｓ４-ＳＧＳＮ＃１からＳ４-ＳＧＳＮ＃２に転送することが可能である。
【先行技術文献】
【非特許文献】
【０００８】
【非特許文献１】３ＧＰＰ  ＴＳ２３.０６０  ｖ８.３.０
【非特許文献２】３ＧＰＰ  ＴＳ２３.４０１  ｖ８.０.０
【発明の概要】
【発明が解決しようとする課題】
【０００９】
しかしながら、上述の移動通信システムでは、Ｓ４-ＳＧＳＮ間の通信には、ＧＴＰｖ２が適用されるため、Ｓ４-ＳＧＳＮ間で、ＧＴＰｖ１で規定されていたＰＥデータ要素を転送する必要がある場合、かかるＰＥデータ要素を、ＧＴＰｖ２で規定する必要があり、ＧＴＰｖ２の開発や動作確認試験等のコストが増大するという問題点があった。
【００１０】
そこで、本発明は、上述の課題に鑑みてなされたものであり、既存ＳＧＳＮのような第１プロトコル（ＧＴＰｖ１）に対応している第１交換局が設けられている移動通信システムにおいて、Ｓ４-ＳＧＳＮのような第２プロトコル（ＧＴＰｖ２）に対応している第２交換局を新規に導入する際に、導入コストを低減することができる移動通信方法及び交換局を提供することを目的とする。
【課題を解決するための手段】
【００１１】
本発明の第１の特徴は、移動通信方法であって、第２交換局の第２プロトコル機能によって送信された転送要求が、第１プロトコルで規定されており第２プロトコルで規定されていない第１データ要素の転送を要求している場合、第１交換局の第２プロトコル機能が、第１交換局の第１プロトコル機能から、該第１データ要素を含む第１プロトコル用データを取得する工程Ａと、前記第１交換局の第２プロトコル機能が、前記第１交換局の第１プロトコル機能から取得した前記第１プロトコル用データを、前記第２プロトコルで規定されている第２データ要素として含む第２プロトコル用データを、前記第２交換局の第２プロトコル機能に転送する工程Ｂと、前記第２交換局の第２プロトコル機能が、前記第１交換局の第２プロトコル機能から転送された前記第２プロトコル用データに含まれる前記第１プロトコル用データを、第２交換局の第１プロトコル機能に転送する工程Ｃと、前記第２交換局の第１プロトコル機能が、前記第２交換局の第２プロトコル機能から転送された前記第１プロトコル用データから、前記第１データ要素を取得する工程Ｄとを有することを要旨とする。
【００１２】
本発明の第２の特徴は、第２交換局が、第１交換局から、第１プロトコルで規定されており第２プロトコルで規定されていない第１データ要素或いは該第２プロトコルで規定されている第２データ要素を取得するように構成されている移動通信システムにおいて該第１交換局として機能する交換局であって、第１交換局の第１プロトコル機能と、第１交換局の第２プロトコル機能とを具備しており、前記第２交換局の第２プロトコル機能から受信した転送要求が、前記第１データ要素の転送を要求している場合、前記第１交換局の第２プロトコル機能は、前記第１交換局の第１プロトコル機能から、該第１データ要素を含む第１プロトコル用データを取得するように構成されており、前記第１交換局の第２プロトコル機能は、前記第１交換局の第１プロトコル機能から取得した前記第１プロトコル用データを前記第２データ要素として含む第２プロトコル用データを、前記第２交換局の第２プロトコル機能に転送するように構成されていることを要旨とする。
【００１３】
本発明の第３の特徴は、第２交換局が、第１交換局から、第１プロトコルで規定されており第２プロトコルで規定されていない第１データ要素或いは該第２プロトコルで規定されている第２データ要素を取得するように構成されている移動通信システムにおいて該第２交換局として機能する交換局であって、第２交換局の第１プロトコル機能と、第２交換局の第２プロトコル機能とを具備しており、前記第２交換局の第２プロトコル機能は、第１交換局の第２プロトコル機能から、第１プロトコル用データを前記第２データ要素として含む第２プロトコル用データを受信した場合に、該第１プロトコル用データを、前記第２交換局の第１プロトコル機能に転送するように構成されており、前記第２交換局の第１プロトコル機能は、前記第２交換局の第２プロトコル機能から転送された前記第１プロトコル用データから、前記第１データ要素を抽出するように構成されていることを要旨とする。
【発明の効果】
【００１４】
以上説明したように、本発明によれば、既存ＳＧＳＮのような第１プロトコル（ＧＴＰｖ１）に対応している第１交換局が設けられている移動通信システムにおいて、Ｓ４-ＳＧＳＮのような第２プロトコル（ＧＴＰｖ２）に対応している第２交換局を新規に導入する際に、導入コストを低減することができる移動通信方法及び交換局を提供することができる。
【図面の簡単な説明】
【００１５】
【図１】本発明の第１の実施形態に係る移動通信システムの全体構成図である。
【図２】本発明の第１の実施形態に係るＳ４-ＳＧＳＮ＃１の機能ブロック図である。
【図３】本発明の第１の実施形態に係る移動通信システムで用いられるＧＴＰｖ２信号「Ｉｄｅｎｔｉｆｉｃａｔｉｏｎ  Ｒｅｑｕｅｓｔ」のフォーマットを示す図である。
【図４】本発明の第１の実施形態に係るＳ４-ＳＧＳＮ＃１及びＳ４-ＳＧＳＮ＃２における信号処理部に設定されている情報の一例を示す図である。
【図５】本発明の第１の実施形態に係るＳ４-ＳＧＳＮ＃１及びＳ４-ＳＧＳＮ＃２におけるデータベースの記憶内容の一例を示す図である。
【図６】本発明の第１の実施形態に係る移動通信システムで用いられるＧＴＰｖ１-ＰＥのフォーマットを示す図である。
【図７】本発明の第１の実施形態に係る移動通信システムで用いられるＧＴＰｖ２信号「Ｉｄｅｎｔｉｆｉｃａｔｉｏｎ  Ｒｅｓｐｏｎｓｅ」のフォーマットを示す図である。
【図８】本発明の第１の実施形態に係る移動通信システムで用いられるＧＴＰｖ２信号「Ｉｄｅｎｔｉｆｉｃａｔｉｏｎ  Ｒｅｓｐｏｎｓｅ」のフォーマットを示す図である。
【図９】本発明の第１の実施形態に係るＳ４-ＳＧＳＮ１の機能ブロック図である。
【図１０】本発明の第１の実施形態に係る移動通信システムの動作を示すシーケンス図である。
【図１１】従来の移動通信システムの動作を示すシーケンス図である。
【発明を実施するための形態】
【００１６】
（本発明の第１の実施形態に係る移動通信システムの構成）
図１乃至図９を参照して、本発明の第１の実施形態に係る移動通信システムの構成について説明する。
【００１７】
図１に示すように、本実施形態に係る移動通信システムには、ＧＰＲＳネットワーク及びＥＰＳネットワークが混在している。
【００１８】
また、本実施形態に係る移動通信システムには、既存ＳＧＳＮと、Ｓ４-ＳＧＳＮ＃１（第１交換局）と、Ｓ４-ＳＧＳＮ＃２（第２交換局）と、Ｓ-ＧＷ（Ｓｅｒｖｉｎｇ  Ｇａｔｅｗａｙ）とが設けられている。
【００１９】
ここで、既存ＳＧＳＮ、Ｓ４-ＳＧＳＮ＃１及びＳ４-ＳＧＳＮ＃２は、ＧＴＰｖ１を介して、ＧＰＲＳネットワークに接続されており、Ｓ-ＧＷ（Ｓｅｒｖｉｎｇ  Ｇａｔｅｗａｙ）は、ＥＰＳネットワークに接続されている。
【００２０】
既存ＳＧＳＮとＳ４-ＳＧＳＮ＃２との間では、ＧＴＰｖ１（第１プロトコル）が適用されており、Ｓ４-ＳＧＳＮ＃１とＳ４-ＳＧＳＮ＃２との間では、ＧＴＰｖ２（第２プロトコル）が適用されており、Ｓ４-ＳＧＳＮ＃１とＳ-ＧＷ（Ｓｅｒｖｉｎｇ  Ｇａｔｅｗａｙ）との間では、ＧＴＰｖ２が適用されている。
【００２１】
また、ＧＰＲＳネットワークでは、サービス＃１、サービス＃２及びサービス＃３が提供されており、ＥＰＣネットワークでは、サービス＃２及びサービス＃４が提供されている。
【００２２】
図１の例では、（１）において、サービス＃１の提供を受けている移動局＃Ｘが、Ｓ４-ＳＧＳＮ＃１配下のエリアからＳ４-ＳＧＳＮ＃２配下のエリアに移動すると、（２）において、Ｓ４-ＳＧＳＮ＃２が、Ｓ４-ＳＧＳＮ＃１から、移動局＃Ｘについてのサービス＃１用のＰＥデータ要素＃１を取得する。その結果、移動局＃Ｘは、Ｓ４-ＳＧＳＮ＃２配下のエリアにおいて、サービス＃１の提供を受けることができる。
【００２３】
その後、（３）において、かかる移動局が、Ｓ４-ＳＧＳＮ＃２配下のエリアから既存ＳＧＳＮ配下のエリアに移動すると、（４）において、既存ＳＧＳＮが、Ｓ４-ＳＧＳＮから、移動局＃Ｘについてのサービス＃１用のＰＥデータ要素＃１を取得する。その結果、移動局＃Ｘは、既存ＳＧＳＮ配下のエリアにおいて、サービス＃１の提供を受けることができる。
【００２４】
ここで、サービス＃１用のＰＥデータ要素＃１及びサービス＃３用のＰＥデータ要素＃３は、ＧＴＰｖ１で規定されておりＧＴＰｖ２で規定されていない。また、サービス＃４用のＰＥデータ要素＃４は、ＧＴＰｖ２で規定されておりＧＴＰｖ１で規定されていない。さらに、サービス＃２用のＰＥデータ要素＃２は、ＧＴＰｖ１及びＧＴＰｖ２の両方で規定されている。
【００２５】
本実施形態に係る移動通信システムでは、Ｓ４-ＳＧＳＮ＃２は、Ｓ４-ＳＧＳＮ＃１から、ＧＴＰｖ２信号によって、ＧＴＰｖ２で規定されているＰＥデータ要素（例えば、サービス＃２用のＰＥデータ要素＃２及びサービス＃４用のＰＥデータ要素＃４）だけでなく、ＧＴＰｖ２で規定されていないＰＥデータ要素（例えば、サービス＃１用のＰＥデータ要素＃１及びサービス＃３用のＰＥデータ要素＃３）についても取得することができる。
【００２６】
図２乃至図８を参照して、図１におけるＳ４-ＳＧＳＮ＃１の機能について説明する。図２に示すように、Ｓ４-ＳＧＳＮ＃１は、ＧＴＰｖ２機能ブロック１０（第２プロトコル機能）と、ＧＴＰｖ１機能ブロック２０（第１プロトコル機能）と、データベース部３１を具備している加入者情報保持機能ブロック３０（記憶部）とを具備している。
【００２７】
ここで、ＧＴＰｖ２機能ブロック１０は、ＧＴＰｖ２に対応する処理を行うように構成されており、信号送受信部１１と、信号処理部１２と、ＧＴＰｖ１連携処理部１３とを具備している。
【００２８】
また、ＧＴＰｖ１機能ブロック２０は、ＧＴＰｖ２に対応する処理を行うように構成されており、ＧＴＰｖ２連携処理部２１と、ＰＥデータ処理部２２とを具備している。
【００２９】
信号送受信部１１は、（１）に示すように、Ｓ４-ＳＧＳＮ＃２のＧＴＰｖ２機能ブロック４０（第２プロトコル機能）から送信されたＧＴＰｖ２信号、例えば、「Ｉｄｅｎｔｉｆｉｃａｔｉｏｎ  Ｒｅｑｕｅｓｔ（転送要求）」を受信するように構成されている。
【００３０】
ここで、「Ｉｄｅｎｔｉｆｉｃａｔｉｏｎ  Ｒｅｑｕｅｓｔ」は、特定の移動局ＵＥに関連する特定のＰＥデータ要素の転送を要求するＧＴＰｖ２信号（第２プロトコル信号）である。
【００３１】
図３に、かかる「Ｉｄｅｎｔｉｆｉｃａｔｉｏｎ  Ｒｅｑｕｅｓｔ」のフォーマットの一例を示す。図３に示すように、「Ｉｄｅｎｔｉｆｉｃａｔｉｏｎ  Ｒｅｑｕｅｓｔ」は、ＧＴＰｖ２信号のヘッダ情報（例えば、メッセージ番号や、メッセージ長や、トンネル識別子や、シーケンス番号等）が設定されるＧＴＰｖ２信号用ヘッダ部と、ＧＴＰｖ２信号ごとに決定されるパラメータ（例えば、Ｒｏｕｔｉｎｇ  Ａｒｅａ  ＩＤや、Ｐ-ＴＭＳＩ（Ｐａｃｋｅｔ-Ｔｅｍｐｏｒａｒｙ  Ｍｏｂｉｌｅ  Ｓｕｂｓｃｒｉｂｅｒ  Ｉｄｅｎｔｉｔｙ）や、Ｐ-ＴＭＳＩ  Ｓｉｇｎａｔｕｒｅ等）が設定されるパラメータ部とによって構成されている。
【００３２】
また、信号送受信部１１は、（２）に示すように、受信した「Ｉｄｅｎｔｉｆｉｃａｔｉｏｎ  Ｒｅｑｕｅｓｔ」に対する処理を、信号処理部１２に依頼するように構成されている。
【００３３】
信号処理部１２は、Ｓ４-ＳＧＳＮ＃２のＧＴＰｖ２機能ブロック４０から受信した「Ｉｄｅｎｔｉｆｉｃａｔｉｏｎ  Ｒｅｑｕｅｓｔ」によって要求されているＰＥデータ要素が、ＧＴＰｖ２で規定されているか否かについて判定するように構成されている。
【００３４】
例えば、信号処理部１２は、図４に示すような「ＰＥデータ要素」と「対応ＧＴＰバージョン」とを関連付けるテーブルを具備しており、かかるテーブルを参照して、上述の判定を行うように構成されている。
【００３５】
ここで、「ＰＥデータ要素」は、Ｓ４-ＳＧＳＮ＃２のＧＴＰｖ２機能ブロック４０から受信した「Ｉｄｅｎｔｉｆｉｃａｔｉｏｎ  Ｒｅｑｕｅｓｔ」によって要求されているＰＥデータ要素を示し、「対応ＧＴＰバージョン」は、かかるＰＥデータ要素を規定しているＧＴＰのバージョン（すなわち、ＧＴＰｖ１又はＧＴＰｖ２）を示す。
【００３６】
具体的には、Ｓ４-ＳＧＳＮ＃２のＧＴＰｖ２機能ブロック４０から受信した「Ｉｄｅｎｔｉｆｉｃａｔｉｏｎ  Ｒｅｑｕｅｓｔ」が、ＧＴＰｖ２で規定されているＰＥデータ要素（第２データ要素、例えば、ＰＥデータ要素＃２、＃４）の転送を要求していると判定した場合、信号処理部１２は、（３）に示すように、加入者情報保持機能ブロック３０内のデータベース３１から、かかるＰＥデータ要素（例えば、ＰＥデータ要素＃２、＃４）を取得するように構成されている。
【００３７】
例えば、加入者情報保持機能ブロック３０内のデータベース３１は、図５に示すように、移動局ＵＥごとの「標準機能パラメータ部」及び「ＰＥ部」を管理するように構成されている。
【００３８】
図５に示すように、「標準機能パラメータ部」は、各移動局ＵＥのパラメータ（例えば、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）や、ＭＳＩＳＤＮ（Ｍｏｂｉｌｅ  Ｓｕｂｓｃｒｉｂｅｒ  ＩＳＤＮ  Ｎｕｍｂｅｒ）等）が設定される領域であり、「ＰＥ部」は、各移動局に関連するＰＥデータ要素が設定される領域である。
【００３９】
また、Ｓ４-ＳＧＳＮ＃２のＧＴＰｖ２機能ブロック４０から受信した「Ｉｄｅｎｔｉｆｉｃａｔｉｏｎ  Ｒｅｑｕｅｓｔ」が、ＧＴＰｖ２で規定されていないＰＥデータ要素（第１データ要素、例えば、ＰＥデータ要素＃１、＃３）の転送を要求していると判定した場合、信号処理部１２は、（４）に示すように、ＧＴＰｖ１連携処理部１３に対して、かかるＰＥデータ要素（例えば、ＰＥデータ要素＃１、＃３）を含むＧＴＰｖ１-ＰＥ（第１プロトコル用データ）を転送するように要求するＰＥ転送処理要求を送信するように構成されている。
【００４０】
図６に、かかるＧＴＰｖ１-ＰＥのフォーマットの一例を示す。図６に示すように、ＧＴＰｖ１-ＰＥは、ＰＥデータ要素に対して、ＧＴＰｖ１-ＰＥ用ヘッダを付与することによって構成されている。
【００４１】
ＧＴＰｖ１連携処理部１３は、（５）に示すように、信号処理部１２からのＰＥ転送処理要求に応じて、ＧＴＰｖ２連携処理部２１に対して、上述のＰＥデータ要素（例えば、ＰＥデータ要素＃１、＃３）を含むＧＴＰｖ１-ＰＥを転送するように要求するＰＥ処理要求を送信するように構成されている。
【００４２】
ＧＴＰｖ２連携処理部２１は、（６）に示すように、ＧＴＰｖ１連携処理部１３からのＰＥ処理要求に応じて、かかるＰＥデータ要素（例えば、ＰＥデータ要素＃１、＃３）を含むＧＴＰｖ１-ＰＥを生成するように要求するＰＥ生成処理要求を、ＰＥデータ処理部２２に送信するように構成されている。
【００４３】
ＰＥデータ処理部２２は、ＧＴＰｖ２連携処理部２１からのＰＥ処理要求に応じて、かかるＰＥデータ要素（例えば、ＰＥデータ要素＃１、＃３）を含むＧＴＰｖ１-ＰＥを生成し、（７）に示すように、生成したＧＴＰｖ１-ＰＥを、ＧＴＰｖ２連携処理部２１に送信するように構成されている。
【００４４】
ＧＴＰｖ２連携処理部２１は、（８）に示すように、ＰＥデータ処理部２２から送信されたＧＴＰｖ１-ＰＥを含むＰＥ処理応答を、ＧＴＰｖ１連携処理部１３に送信するように構成されている。
【００４５】
ＧＴＰｖ１連携処理部１３は、（９）に示すように、ＧＴＰｖ２連携処理部２１から受信したＰＥ処理応答に含まれているＧＴＰｖ１-ＰＥを、ＰＥ転送処理応答に含めて信号処理部１２に送信するように構成されている。
【００４６】
信号処理部１２は、（１０）に示すように、加入者情報保持機能ブロック３０内のデータベース３１から取得したＰＥデータ要素（例えば、ＰＥデータ要素＃２、＃４）及びＧＴＰｖ１機能ブロック２０から取得したＧＴＰｖ１-ＰＥを、ＧＴＰｖ２-ＰＥ（第２プロトコル用データ）として含むＧＴＰｖ２信号（例えば、「Ｉｄｅｎｔｉｆｉｃａｔｉｏｎ  Ｒｅｓｐｏｎｓｅ」）を生成し、かかるＧＴＰｖ２信号の送信を、信号送受信部１１に依頼する。
【００４７】
図７及び図８に、かかる「Ｉｄｅｎｔｉｆｉｃａｔｉｏｎ  Ｒｅｓｐｏｎｓｅ」のフォーマットの一例を示す。図７に示すように、「Ｉｄｅｎｔｉｆｉｃａｔｉｏｎ  Ｒｅｓｐｏｎｓｅ」は、ＧＴＰｖ２信号のヘッダ情報（例えば、メッセージ番号や、メッセージ長や、トンネル識別子や、シーケンス番号等）が設定されるＧＴＰｖ２信号用ヘッダ部と、ＧＴＰｖ２信号ごとに決定されるパラメータ（例えば、ＩＭＳＩ等）が設定されるパラメータ部と、１つ又は複数のＰＥデータ要素が設定されるＧＴＰｖ２-ＰＥ部とによって構成されている。
【００４８】
ここで、ＧＴＰｖ２-ＰＥ部には、加入者情報保持機能ブロック３０内のデータベース３１から取得したＰＥデータ要素（例えば、ＰＥデータ要素＃２、＃４）だけでなく、ＧＴＰｖ１機能ブロック２０から取得したＧＴＰｖ１-ＰＥを、ＰＥデータ要素として含むＧＴＰｖ２-ＰＥが設定されている。
【００４９】
図８に示すように、ＧＴＰｖ１機能ブロック２０から取得したＧＴＰｖ１-ＰＥを含むＰＥデータ要素＃Ａには、ＧＴＰｖ１-ＰＥが設定される１つ又は複数のＧＴＰｖ１-ＰＥ部が設けられている。
【００５０】
図８の例では、ＰＥデータ要素＃Ａ内に、ＧＴＰｖ１-ＰＥ部＃１及びＧＴＰｖ１-ＰＥ部＃３等が設けられており、ＧＴＰｖ１-ＰＥ部＃１には、ＰＥデータ要素＃１を含むＧＴＰｖ１-ＰＥが設定されており、ＧＴＰｖ１-ＰＥ部＃３には、ＰＥデータ要素＃３を含むＧＴＰｖ１-ＰＥが設定されている。
【００５１】
なお、信号送受信部１２は、ＧＴＰｖ２信号内のＧＴＰｖ２-ＰＥ部において、ＧＴＰｖ１機能ブロック２０から取得した複数のＧＴＰｖ１-ＰＥを、１つのＰＥデータ要素として設定してもよいし、ＧＴＰｖ１機能ブロック２０から取得した複数のＧＴＰｖ１-ＰＥの各々を、それぞれ１つのＰＥデータ要素として設定してもよい。
【００５２】
信号送受信部１１は、（１１）に示すように、信号処理部１２からの依頼に応じて、上述のＧＴＰｖ２信号、すなわち、「Ｉｄｅｎｔｉｆｉｃａｔｉｏｎ  Ｒｅｓｐｏｎｓｅ」を、Ｓ４-ＳＧＳＮ＃２のＧＴＰｖ２機能ブロック４０に送信するように構成されている。
【００５３】
図９を参照して、図１におけるＳ４-ＳＧＳＮ＃２の機能について説明する。図９に示すように、Ｓ４-ＳＧＳＮ＃２は、ＧＴＰｖ２機能ブロック４０（第２プロトコル機能）と、ＧＴＰｖ１機能ブロック５０（第１プロトコル機能）と、データベース部６１を具備している加入者情報保持機能ブロック６０（記憶部）とを具備している。
【００５４】
ここで、ＧＴＰｖ２機能ブロック４０は、ＧＴＰｖ２に対応する処理を行うように構成されており、信号送受信部４１と、信号処理部４２と、ＧＴＰｖ１連携処理部４３とを具備している。
【００５５】
また、ＧＴＰｖ１機能ブロック５０は、ＧＴＰｖ２に対応する処理を行うように構成されており、ＧＴＰｖ２連携処理部５１と、ＰＥデータ処理部５２とを具備している。
【００５６】
信号送受信部４１は、（１）に示すように、Ｓ４-ＳＧＳＮ＃１のＧＴＰｖ２機能ブロック１０によって送信されたＧＴＰｖ２信号、例えば、「Ｉｄｅｎｔｉｆｉｃａｔｉｏｎ  Ｒｅｓｐｏｎｓｅ」を受信するように構成されている。
【００５７】
また、信号送受信部４１は、（２）に示すように、受信した「Ｉｄｅｎｔｉｆｉｃａｔｉｏｎ  Ｒｅｓｐｏｎｓｅ」に対する処理を、信号処理部４２に依頼するように構成されている。
【００５８】
信号処理部４２は、（３）に示すように、「Ｉｄｅｎｔｉｆｉｃａｔｉｏｎ  Ｒｅｓｐｏｎｓｅ」内のＧＴＰｖ２-ＰＥ部に設定されているＧＴＰｖ２-ＰＥにＰＥデータ要素として含まれるＧＴＰｖ１-ＰＥから、所望のＰＥデータ要素（例えば、ＰＥデータ要素＃１、＃３）を抽出するように要求するＰＥ処理要求を、ＧＴＰｖ１連携処理部４３に送信するように構成されている。ここで、ＰＥ処理要求は、上述のＧＴＰｖ１-ＰＥを含む。
【００５９】
ＧＴＰｖ１連携処理部４３は、（４）に示すように、ＧＴＰｖ２連携処理部５１に対して、上述のＰＥ処理要求を転送するように構成されている。
【００６０】
ＧＴＰｖ２連携処理部５１は、（５）に示すように、ＰＥデータ処理部５２に対して、上述のＰＥ処理要求を転送するように構成されている。
【００６１】
ＰＥデータ処理部５２は、受信したＰＥ処理要求に含まれているＧＴＰｖ１-ＰＥに含まれているＰＥデータ要素（例えば、ＰＥデータ要素＃１、＃３）を抽出し、（６）に示すように、抽出したＰＥデータ要素（例えば、ＰＥデータ要素＃１、＃３）を、ＧＴＰｖ２連携処理部５１に通知するように構成されている。
【００６２】
ＧＴＰｖ２連携処理部５１は、（７）に示すように、ＰＥデータ処理部５２によって通知されたＰＥデータ要素（例えば、ＰＥデータ要素＃１、＃３）を含むＰＥ処理応答を、ＧＴＰｖ１連携処理部４３に送信するように構成されている。
【００６３】
ＧＴＰｖ１連携処理部４３は、（８）に示すように、信号処理部４２に対して、上述のＰＥ処理応答を転送するように構成されている。
【００６４】
信号処理部４２は、（９）に示すように、ＧＴＰｖ１連携処理部４３によって転送されたＰＥ処理応答に含まれるＰＥデータ要素（例えば、ＰＥデータ要素＃１、＃３）を、Ｓ４-ＳＧＳＮ＃２の加入者情報保持機能ブロック６０内のデータベース６１に記憶するように構成されている。
【００６５】
（本発明の第１の実施形態に係る移動通信システムの動作）
以下、図１０を参照して、本実施形態に係る移動通信システムの動作について説明する。
【００６６】
図１０に示すように、ステップＳ１００１において、Ｓ４-ＳＧＳＮ＃２が、Ｓ４-ＳＧＳＮ＃１から、所望のパラメータ（例えば、ＰＥデータ要素＃１）を取得するイベントが発生する。
【００６７】
ステップＳ１００２において、Ｓ４-ＳＧＳＮ＃２のＧＴＰｖ２機能ブロック４０が、Ｓ４-ＳＧＳＮ＃１のＧＴＰｖ２機能ブロック１０に対して、ＧＴＰｖ２信号である「Ｉｄｅｎｔｉｆｉｃａｔｉｏｎ  Ｒｅｑｕｅｓｔ」を送信する。
【００６８】
ステップＳ１００３において、Ｓ４-ＳＧＳＮ＃１のＧＴＰｖ２機能ブロック１０が、「Ｉｄｅｎｔｉｆｉｃａｔｉｏｎ  Ｒｅｑｕｅｓｔ」を受信し、「Ｉｄｅｎｔｉｆｉｃａｔｉｏｎ  Ｒｅｑｕｅｓｔ」によって転送を要求しているＰＥデータ要素＃１をＧＴＰｖ１-ＰＥで運ぶべきであると判定する。
【００６９】
ステップＳ１００４において、Ｓ４-ＳＧＳＮ＃１のＧＴＰｖ１機能ブロック２０が、Ｓ４-ＳＧＳＮ＃１のＧＴＰｖ２機能ブロック１０からのＰＥ処理要求に応じて、ＰＥデータ要素＃１を含むＧＴＰｖ１-ＰＥを生成する。
【００７０】
ステップＳ１００５において、Ｓ４-ＳＧＳＮ＃１のＧＴＰｖ１機能ブロック２０が、Ｓ４-ＳＧＳＮ＃１のＧＴＰｖ２機能ブロック１０に対して、生成したＧＴＰｖ１-ＰＥを送信する。
【００７１】
ステップＳ１００６において、Ｓ４-ＳＧＳＮ＃１のＧＴＰｖ２機能ブロック１０が、ＧＴＰｖ２信号である「Ｉｄｅｎｔｉｆｉｃａｔｉｏｎ  Ｒｅｓｐｏｎｓｅ」内のＧＴＰｖ２-ＰＥ部に設定されるＧＴＰｖ２-ＰＥに、受信したＧＴＰｖ１-ＰＥをＰＥデータ要素として設定する。
【００７２】
ステップＳ１００７において、Ｓ４-ＳＧＳＮ＃１のＧＴＰｖ２機能ブロック１０が、かかる「Ｉｄｅｎｔｉｆｉｃａｔｉｏｎ  Ｒｅｓｐｏｎｓｅ」を、Ｓ４-ＳＧＳＮ＃２のＧＴＰｖ２機能ブロック４０に対して送信する。
【００７３】
ステップＳ１００８において、Ｓ４-ＳＧＳＮ＃２のＧＴＰｖ２機能ブロック４０が、「Ｉｄｅｎｔｉｆｉｃａｔｉｏｎ  Ｒｅｓｐｏｎｓｅ」内のＧＴＰｖ２-ＰＥ部に設定されているＧＴＰｖ２-ＰＥに含まれるＧＴＰｖ１-ＰＥを、Ｓ４-ＳＧＳＮ＃２のＧＴＰｖ１機能ブロック５０において処理することを決定する。
【００７４】
ステップＳ１００９において、Ｓ４-ＳＧＳＮ＃２のＧＴＰｖ１機能ブロック４０が、Ｓ４-ＳＧＳＮ＃２のＧＴＰｖ１機能ブロック５０に対して、かかるＧＴＰｖ１-ＰＥを転送する。
【００７５】
ステップＳ１０１０において、Ｓ４-ＳＧＳＮ＃２のＧＴＰｖ１機能ブロック５０が、Ｓ４-ＳＧＳＮ＃２のＧＴＰｖ２機能ブロック４０によって転送されたＧＴＰｖ１-ＰＥから、ＰＥデータ要素＃１を抽出する。
【００７６】
抽出されたＰＥデータ要素＃１は、Ｓ４-ＳＧＳＮ＃２のＧＴＰｖ１機能ブロック４０に転送された後、Ｓ４-ＳＧＳＮ＃２のＧＴＰｖ２機能ブロック４０によってＳ４-ＳＧＳＮ＃２の加入者情報保持機能ブロック６０に記憶される。
【００７７】
なお、抽出されたＰＥデータ要素＃１は、Ｓ４-ＳＧＳＮ＃２のＧＴＰｖ１機能ブロック５０によってＳ４-ＳＧＳＮ＃２の加入者情報保持機能ブロック６０に記憶されてもよい。
【００７８】
（本発明の第１の実施形態に係る移動通信システムの作用・効果）
本発明の第１の実施形態に係る移動通信システムによれば、Ｓ４-ＳＧＳＮを導入するオペレータが、ＧＴＰｖ１で規定されている全てのＰＥデータ要素を、ＧＴＰｖ２で規定する必要がなくなり、ＧＴＰｖ２の開発や動作確認試験等のコストを低減することができると共に、ＧＴＰｖ２の不具合による既存ＳＧＳＮ加入者への影響を最小化することができる。
【００７９】
また、本発明の第１の実施形態に係る移動通信システムによれば、ＧＰＲＳネットワークでは提供されるが、ＥＰＳネットワークでは提供されないサービス（例えば、サービス＃１）用のＰＥデータ要素を、ＧＴＰｖ２において規定するといった無駄を回避することができる。
【００８０】
以上に述べた本実施形態の特徴は、以下のように表現されていてもよい。
【００８１】
本実施形態の第１の特徴は、移動通信方法であって、Ｓ４-ＳＧＳＮ＃２のＧＴＰｖ２機能ブロック４０（第２交換局の第２プロトコル機能）によって送信された「Ｉｄｅｎｔｉｆｉｃａｔｉｏｎ  Ｒｅｑｕｅｓｔ（転送要求）」が、ＧＴＰｖ１（第１プロトコル）で規定されておりＧＴＰｖ２（第２プロトコル）で規定されていないＰＥデータ要素＃１（第１データ要素）の転送を要求している場合、Ｓ４-ＳＧＳＮ＃１のＧＴＰｖ２機能ブロック１０（第１交換局の第２プロトコル機能）が、Ｓ４-ＳＧＳＮ＃１のＧＴＰｖ１機能ブロック２０（第１交換局の第１プロトコル機能）から、ＰＥデータ要素＃１を含むＧＴＰｖ１-ＰＥ（第１プロトコル用データ）を取得する工程Ａと、Ｓ４-ＳＧＳＮ＃１のＧＴＰｖ２機能ブロック１０が、Ｓ４-ＳＧＳＮ＃１のＧＴＰｖ１機能ブロック２０から取得したＧＴＰｖ１-ＰＥを、ＧＴＰｖ２で規定されているＰＥデータ要素（第２データ要素）として含むＧＴＰｖ２-ＰＥ（第２プロトコル用データ）を、Ｓ４-ＳＧＳＮ＃２のＧＴＰｖ２機能ブロック４０に転送する工程Ｂと、Ｓ４-ＳＧＳＮ＃２のＧＴＰｖ２機能ブロック４０が、Ｓ４-ＳＧＳＮ＃１のＧＴＰｖ２機能ブロック１０から転送されたＧＴＰｖ２-ＰＥに含まれるＧＴＰｖ１-ＰＥを、Ｓ４-ＳＧＳＮ＃２のＧＴＰｖ１機能ブロック５０に転送する工程Ｃと、Ｓ４-ＳＧＳＮ＃２のＧＴＰｖ１機能ブロック５０が、Ｓ４-ＳＧＳＮ＃１のＧＴＰｖ２機能ブロック１０から転送されたＧＴＰｖ１-ＰＥから、ＰＥデータ要素＃１を取得する工程Ｄとを有することを要旨とする。
【００８２】
本実施形態の第１の特徴において、Ｓ４-ＳＧＳＮ＃２のＧＴＰｖ１機能ブロック５０が、取得したＰＥデータ要素＃１を、Ｓ４-ＳＧＳＮ＃２のＧＴＰｖ２機能ブロック４０に転送する工程Ｅと、Ｓ４-ＳＧＳＮ＃２のＧＴＰｖ２機能ブロック４０が、転送されたＰＥデータ要素＃１を、Ｓ４-ＳＧＳＮ＃２の加入者情報保持機能ブロック６０（第２交換局の記憶部）に記憶する工程Ｆとを有してもよい。
【００８３】
本実施形態の第１の特徴において、「Ｉｄｅｎｔｉｆｉｃａｔｉｏｎ  Ｒｅｑｕｅｓｔ」が、ＰＥデータ要素＃２（第２データ要素）の転送を要求している場合、Ｓ４-ＳＧＳＮ＃１のＧＴＰｖ２機能ブロック１０は、Ｓ４-ＳＧＳＮ＃１の加入者情報保持機能ブロック３０（第１交換局の記憶部）から取得したＰＥデータ要素＃２を含むＧＴＰｖ２-ＰＥを、Ｓ４-ＳＧＳＮ＃２のＧＴＰｖ２機能ブロック４０に転送してもよい。
【００８４】
本実施形態の第１の特徴において、工程Ｂにおいて、Ｓ４-ＳＧＳＮ＃１のＧＴＰｖ２機能ブロック１０は、Ｓ４-ＳＧＳＮ＃１のＧＴＰｖ１機能ブロック２０から取得した複数のＧＴＰｖ１-ＰＥを、１つのＰＥデータ要素として含むＧＴＰ-ｖ２を、Ｓ４-ＳＧＳＮ＃２のＧＴＰｖ２機能ブロック４０に転送してもよい。
【００８５】
本実施形態の第２の特徴は、Ｓ４-ＳＧＳＮ＃２が、Ｓ４-ＳＧＳＮ＃１から、ＧＴＰｖ１で規定されておりＧＴＰｖ２で規定されていないＰＥデータ要素＃１或いはＧＴＰｖ２で規定されているＰＥデータ要素＃２を取得するように構成されている移動通信システムにおいてＳ４-ＳＧＳＮ＃１として機能する交換局であって、Ｓ４-ＳＧＳＮ＃１のＧＴＰｖ１機能ブロック２０と、Ｓ４-ＳＧＳＮ＃１のＧＴＰｖ２機能ブロック１０とを具備しており、Ｓ４-ＳＧＳＮ＃２のＧＴＰｖ２機能ブロック４０から受信した「Ｉｄｅｎｔｉｆｉｃａｔｉｏｎ  Ｒｅｑｕｅｓｔ」が、ＰＥデータ要素＃１の転送を要求している場合、Ｓ４-ＳＧＳＮ＃１のＧＴＰｖ２機能ブロック１０は、Ｓ４-ＳＧＳＮ＃１のＧＴＰｖ１機能ブロック２０から、ＰＥデータ要素＃１を含むＧＴＰｖ１-ＰＥを取得するように構成されており、Ｓ４-ＳＧＳＮ＃１のＧＴＰｖ２機能ブロック１０は、Ｓ４-ＳＧＳＮ＃１のＧＴＰｖ１機能ブロック２０から取得したＧＴＰｖ１-ＰＥをＰＥデータ要素として含むＧＴＰｖ２-ＰＥを、Ｓ４-ＳＧＳＮ＃２のＧＴＰｖ２機能ブロック４０に転送するように構成されていることを要旨とする。
【００８６】
本実施形態の第２の特徴において、Ｓ４-ＳＧＳＮ＃１の加入者情報保持機能ブロック３０を更に具備しており、「Ｉｄｅｎｔｉｆｉｃａｔｉｏｎ  Ｒｅｑｕｅｓｔ」が、ＰＥデータ要素＃２の転送を要求している場合、Ｓ４-ＳＧＳＮ＃１のＧＴＰｖ２機能ブロック１０は、Ｓ４-ＳＧＳＮ＃１の加入者情報保持機能ブロック３０から取得したＰＥデータ要素＃２を含むＧＴＰｖ２-ＰＥを、Ｓ４-ＳＧＳＮ＃２のＧＴＰｖ２機能ブロック４０に転送するように構成されていてもよい。
【００８７】
本実施形態の第２の特徴において、Ｓ４-ＳＧＳＮ＃１のＧＴＰｖ２機能ブロック１０は、Ｓ４-ＳＧＳＮ＃１のＧＴＰｖ１機能ブロック２０から取得した複数のＧＴＰｖ１-ＰＥを１つのＰＥデータ要素として含むＧＴＰｖ２-ＰＥを、Ｓ４-ＳＧＳＮ＃２のＧＴＰｖ２機能ブロック４０に転送するように構成されていてもよい。
【００８８】
本実施形態の第３の特徴は、Ｓ４-ＳＧＳＮ＃２が、Ｓ４-ＳＧＳＮ＃１から、ＧＴＰｖ１で規定されておりＧＴＰｖ２で規定されていないＰＥデータ要素＃１或いはＧＴＰｖ２で規定されているＰＥデータ要素＃２を取得するように構成されている移動通信システムにおいてＳ４-ＳＧＳＮ＃２として機能する交換局であって、Ｓ４-ＳＧＳＮ＃２のＧＴＰｖ１機能ブロック５０と、Ｓ４-ＳＧＳＮ＃２のＧＴＰｖ２機能ブロック４０とを具備しており、Ｓ４-ＳＧＳＮ＃２のＧＴＰｖ２機能ブロック４０は、Ｓ４-ＳＧＳＮ＃１のＧＴＰｖ２機能ブロック１０から、ＧＴＰｖ１-ＰＥをＰＥデータ要素として含むＧＴＰｖ２-ＰＥを受信した場合に、かかるＧＴＰｖ１-ＰＥを、Ｓ４-ＳＧＳＮ＃２のＧＴＰｖ１機能ブロック５０に転送するように構成されており、Ｓ４-ＳＧＳＮ＃２のＧＴＰｖ１機能ブロック５０は、Ｓ４-ＳＧＳＮ＃２のＧＴＰｖ２機能ブロック４０から転送されたＧＴＰｖ１-ＰＥから、ＰＥデータ要素＃１を抽出するように構成されていることを要旨とする。
【００８９】
本実施形態の第３の特徴において、Ｓ４-ＳＧＳＮ＃２の加入者情報保持機能ブロック６０を更に具備しており、Ｓ４-ＳＧＳＮ＃２のＧＴＰｖ１機能ブロック５０は、取得したＰＥデータ要素＃１を、Ｓ４-ＳＧＳＮ＃２のＧＴＰｖ２機能ブロック４０に転送するように構成されており、Ｓ４-ＳＧＳＮ＃２のＧＴＰｖ２機能ブロック４０は、転送されたＰＥデータ要素＃１を、Ｓ４-ＳＧＳＮ＃２の加入者情報保持機能ブロック６０に記憶するように構成されていてもよい。
【００９０】
なお、上述のＳ４-ＳＧＳＮ＃１及びＳ４-ＳＧＳＮ＃２の動作は、ハードウェアによって実施されてもよいし、プロセッサによって実行されるソフトウェアモジュールによって実施されてもよいし、両者の組み合わせによって実施されてもよい。
【００９１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、Ｓ４-ＳＧＳＮ＃１及びＳ４-ＳＧＳＮ＃２内に設けられていてもよい。また、かかる記憶媒体及びプロセッサは、ディスクリートコンポーネントとしてＳ４-ＳＧＳＮ＃１及びＳ４-ＳＧＳＮ＃２内に設けられていてもよい。
【００９３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００９４】
１０、４０…ＧＴＰｖ２機能ブロック
１１、４１…信号送受信部
１２、４２…信号処理部
１３、４３…ＧＴＰｖ１連携処理部
２０、５０…ＧＴＰｖ１機能ブロック
２１、５１…ＧＴＰｖ２連携処理部
２２、５２…ＰＥデータ処理部
３０、６０…加入者情報保持機能ブロック
３１、６１…データベース
【図１】
2011029901.tif 000003
【図２】
2011029901.tif 000004
【図３】
2011029901.tif 000005
【図４】
2011029901.tif 000006
【図５】
2011029901.tif 000007
【図６】
2011029901.tif 000008
【図７】
2011029901.tif 000009
【図８】
2011029901.tif 000010
【図９】
2011029901.tif 000011
【図１０】
2011029901.tif 000012
【図１１】
2011029901.tif 000013